(57)【特許請求の範囲】
【請求項１】
折り曲げ可能な材料からなり、裏面に粘着剤が塗布されたシートであって、裏面同士が合わさるように折り曲げるための直線状の折り目が設けられた粘着シートと、
この粘着シートの裏面に剥離可能に接着し、前記折り目と平行な切り込みによって分割された台紙とを備え、
前記切り込みが前記折り目から離れる方向に尖った部分を有し、この尖った部分に沿った切り込みが前記粘着シートに設けられたことを特徴とするシール作製用テープ。
【請求項２】
折り曲げ可能な材料からなり、裏面に粘着剤が塗布されたシートであって、裏面同士が合わさるように折り曲げるための直線状の折り目が設けられた粘着シートと、
この粘着シートの裏面に剥離可能に接着し、前記折り目と平行な切り込みによって分割された台紙とを備え、
各々の前記折り目が一直線上に乗るように前記粘着シートが複数隣り合い、これら複数の粘着シートに対して一組の分割された前記台紙が接着したことを特徴とするシール作製用テープ。
【請求項３】
前記切り込みが前記折り目に関して対称な位置に２本設けられた請求項１又は２に記載のシール作製用テープ。
【請求項４】
前記折り目が、間欠的な切り込みである請求項１〜３のいずれかに記載のシール作製用テープ。
【請求項５】
折り曲げ可能な材料からなり、裏面に粘着剤が塗布された粘着シートと、
この粘着シートの裏面に剥離可能に接着した台紙であって、粘着シートの裏面同士が合わさるように折り曲げるための直線状の折り目が設けられ、この折り目と平行な切り込みによって分割された台紙とを備え、
前記切り込みが前記折り目から離れる方向に尖った部分を有し、この尖った部分に沿った切り込みが前記粘着シートに設けられたことを特徴とするシール作製用テープ。
【請求項６】
折り曲げ可能な材料からなり、裏面に粘着剤が塗布された粘着シートと、
この粘着シートの裏面に剥離可能に接着した台紙であって、粘着シートの裏面同士が合わさるように折り曲げるための直線状の折り目が設けられ、この折り目と平行な切り込みによって分割された台紙とを備え、
各々の前記折り目が一直線上に乗るように前記粘着シートが複数隣り合い、これら複数の粘着シートに対して一組の分割された前記台紙が接着したことを特徴とするシール作製用テープ。
【請求項７】
前記切り込みが前記折り目に関して対称な位置に２本設けられた請求項５又は６に記載のシール作製用テープ。
【請求項８】
前記折り目が、間欠的な切り込みである請求項５〜７のいずれかに記載のシール作製用テープ。
【発明の詳細な説明】
【０００１】
【発明の属する技術分野】
本発明は、粘着シートを備えたシールを作製するためのシール作製用テープに関する。
【０００２】
【従来の技術】
書物に見出しを付けるための付箋やその他の用途に、シールが使用される。従来のシールは、裏面に粘着剤が塗布された粘着シートと、粘着剤を使用時まで保護するために粘着シートの裏面に剥離可能に接着させた台紙とを備える。このシールを使用する際には、まず粘着シートをその端部から指でめくり上げることによって台紙から剥がし、次いで粘着シートの裏面を目的の所に貼り付ける。
【０００３】
付箋として使用する場合には、粘着シートを台紙から剥がした後に、目的ページの端に粘着シートの一部分を貼り付け、粘着シートの残りの部分はページからはみ出た状態にする。そして、粘着シートのはみ出た部分を適当な箇所で裏面側に折り曲げて、裏面同士を接着させる。裏面同士が接着した部分は、見出しを記入する欄になるとともに、ページを開く際の取っ手となる。
【０００４】
【発明が解決しようとする課題】
しかし、従来のシールでは、粘着シートを台紙から剥がす際に指でめくるのが面倒くさく、特にお年寄りや指先の不器用は人は剥がすのに苦労する。さらに、粘着シートを台紙から剥がす際には、粘着シートの裏面を指で触らないといけないため、粘着剤で指が汚れる。同時に、粘着シートの裏面も汚れるので、粘着力が低下する。
【０００５】
また、従来のシールでは、付箋として使用するとき、ページの端に粘着シートのどれだけの面積を貼着させるかを、貼着させる度に使用者自らが決めなければならない。そのため、１冊の書物に多数の粘着シートを付けた場合に、ページへの貼着部分の面積及び取っ手部分の面積が粘着シート間で一定に揃わないことが多く、その結果、見た目が悪くなる。それ故、本発明の目的は、台紙から剥がし易く、目的物に綺麗に貼り付けることができ、手や裏面を汚すことのない粘着シートを備えたシールを簡単に作製することができるシール作製用テープを提供することにある。
【０００６】
【課題を解決するための手段】
第１の発明に係るシール作製用テープは、折り曲げ可能な材料からなり、裏面に粘着剤が塗布されたシートであって、裏面同士が合わさるように折り曲げるための直線状の折り目が設けられた粘着シートと、この粘着シートの裏面に剥離可能に接着し、前記折り目と平行な切り込みによって分割された台紙とを備え、前記切り込みが前記折り目から離れる方向に尖った部分を有し、この尖った部分に沿った切り込みが前記粘着シートに設けられたことを特徴とする。
【０００７】
第２の発明に係るシール作製用テープは、折り曲げ可能な材料からなり、裏面に粘着剤が塗布されたシートであって、裏面同士が合わさるように折り曲げるための直線状の折り目が設けられた粘着シートと、この粘着シートの裏面に剥離可能に接着し、前記折り目と平行な切り込みによって分割された台紙とを備え、各々の前記折り目が一直線上に乗るように前記粘着シートが複数隣り合い、これら複数の粘着シートに対して一組の分割された前記台紙が接着したことを特徴とする。
これらのテープにより、粘着シートを備えたシールが以下のようにして簡単に作製され得る。
【０００８】
まず、分割された台紙のうち、粘着シートに設けられた折り目と接する部分を粘着シートから剥離させる。これにより、折り目の周辺部において粘着シートの裏面が露出する。続いて、折り目に沿って粘着シートを裏面側に折り曲げることにより、折り目周辺部の裏面同士を接着させる。その結果、粘着シートの取っ手部が形成される。次に、粘着シートの台紙が接着したままの部分を取っ手部と交差するように表面側に折り曲げる。これにて、粘着シートの貼着部が形成される。このようにすると、粘着シートの貼着部の裏面に台紙を接着させたままシールを作製することができる。
【０００９】
そして、第１の発明に係るテープにおいては、台紙の切り込みに折り目から離れる方向に尖った部分が設けられ、この尖った部分に沿った切り込みが粘着シートに設けられていることにより、シールの作製と同時に、尖った突起を粘着シートの貼着面に形成させることができる。そのため、粘着シートを貼るだけでラップ等の包装フィルムに孔を空けることができ、よって包装フィルムをより簡単に破ることができる。切り込みに尖った部分がある場合には、粘着シートの材質としてポリエチレンテレフタレート（ＰＥＴ）等の硬質のものを用いるのが望ましく、またその厚みは０．３ｍｍ程度が望ましい。
【００１０】
また、第２の発明に係るテープにおいては、折り目が一直線上に乗るように隣り合った複数の粘着シートに対して一組の分割された台紙が接着されていることにより、複数の粘着シートを一度で作製することができる。
【００１１】
第１及び第２の各発明に係るテープでは、切り込みを折り目の左右両側に２本設けて、台紙を３つに分割するのが好ましい。このようにすると、作製された粘着シートでは、貼着部が取っ手部の左右両側に２つできるので、形状が安定する。さらに、２本の切り込みを折り目に関して対称な位置に設けると、左右の貼着部間に段差がなく、そのため目的物に貼り易い粘着シートを得ることができる。尚、折り目としては、例えば間欠的な切り込みがある。また、粘着シートの材質としては、発泡ポリエチレンテレフタレート（発泡ＰＥＴ）などが用いられ得る。
【００１２】
第１及び第２の各発明に係るテープからシールを作製する方法は、上に示した方法に限定されない。例えば、台紙の一部を粘着シートから剥離させる前に、粘着シートを裏面側及び表面側に折り曲げても良い。このとき、台紙の切り込みは、粘着シートを表面側に折り曲げるための折り目として機能する。貼着部を取っ手部の両側に形成させる場合には、この切り込みの他に、粘着シート若しくは台紙に間欠的な切り込みなどの折り目を設けるのが望ましい。
【００１３】
さらに、上に示した作製方法では台紙のうち粘着シートの折り目と接する部分を剥離させているが、折り目と接しない部分を剥離させても良い。この場合、粘着シートの取っ手部を形成させるためには、残った台紙を粘着シートの折り目周縁部まで剥がし、粘着シートの裏面同士を接着させた後に再び台紙を接着させる。このようにすると、粘着シートの貼着部を取っ手部の両側に形成させたときにも、台紙に隙間ができず、よって粘着シートの裏面が部分的に露出してしまうのを防ぐことができる。また、この要領でシールを作製する場合には、台紙の切り込みが粘着シートの折り目と同じ位置にあっても良い。
【００１４】
第３の発明に係るシール作製用テープは、折り曲げ可能な材料からなり、裏面に粘着剤が塗布された粘着シートと、この粘着シートの裏面に剥離可能に接着した台紙であって、粘着シートの裏面同士が合わさるように折り曲げるための直線状の折り目が設けられ、この折り目と平行な切り込みによって分割された台紙とを備え、前記切り込みが前記折り目から離れる方向に尖った部分を有し、この尖った部分に沿った切り込みが前記粘着シートに設けられたことを特徴とする。
【００１５】
第４の発明に係るシール作製用テープは、折り曲げ可能な材料からなり、裏面に粘着剤が塗布された粘着シートと、この粘着シートの裏面に剥離可能に接着した台紙であって、粘着シートの裏面同士が合わさるように折り曲げるための直線状の折り目が設けられ、この折り目と平行な切り込みによって分割された台紙とを備え、各々の前記折り目が一直線上に乗るように前記粘着シートが複数隣り合い、これら複数の粘着シートに対して一組の分割された前記台紙が接着したことを特徴とする。
これらのテープからも、粘着シートを備えたシールが簡単に作製され得る。
【００１６】
これらのテープを用いると、前記のテープと同じようにして、シールを作製することができる。但し、このテープでは粘着シートを裏面側に折り曲げるための折り目が台紙に設けられているので、台紙の折り目を含む部分を剥離させる前に粘着シートを折り曲げる方が作製しやすい。また、前記のテープと同様に、台紙の折り目を含まない部分を剥離させてもシールを作製することができる。台紙の折り目を含む部分を剥離させる場合には、粘着シートの貼着部を取っ手部の左右両側に形成させるために、台紙の切り込みを折り目の両側に設けるのが好ましい。
【００１７】
第１ないし第４の各発明に係るテープにより作製されたシールは、粘着シートが裏面同士の接着した取っ手部を有し、取っ手部は台紙の接着した貼着部と交差している。よって、このテープによると、取っ手部を指で摘んで引っ張るだけで、粘着シートを台紙から剥がすことができる。そのため、お年寄りや指先の不器用な人でも簡単に剥がすことができる。しかも、粘着シートの裏面に指を触れずに剥がすことができるので、指が汚れることもないし、裏面が汚れて粘着力が低下することもない。
【００１８】
粘着シートを目的物に貼り付けるには、取っ手部を摘んで貼着部の裏面を目的物に接着させれば良い。よって、粘着シートを貼り付ける際にも、裏面に指が触れることはない。また、目的物と接着する貼着部及び取っ手部は予め設けられており、それらの面積は既に決まっているので、使用時に使用者自らが決めなくても良い。従って、１つの目的物に多数の粘着シートを貼った場合にも、見た目が綺麗になる。
【００１９】
この粘着シートは、多様な用途に使用され得る。粘着シートを付箋として使用する場合には、例えば、取っ手部を摘んで、書物の目的ページの端に貼着部の裏面を貼り付け、そして取っ手部と貼着部とを平行にすると良い。貼着部が取っ手部の左右両側にあるときには、目的ページを貼着部で鋏んで貼ると良い。取っ手部は、見出しを記入する欄及び目的ページを開く際の取っ手として利用され得る。この粘着シートは、物を吊り下げるための道具としても使用され得る。この場合には、取っ手部にパンチ等で穴を空けて、目的物に貼着部を貼り付ける。そして、棚などに固定されたフックに取っ手部の穴を引っ掛けることにより、目的物を吊り下げることができる。この粘着シートは、スーパーやコンビニエンスストアで商品を吊り下げるのに便利である。
【００２０】
また、粘着シートを箱の蓋に貼り付けると、粘着シートの取っ手部を摘んで引っ張るだけで蓋を開けることができる。よって、蓋に取っ手が付いていない箱、取っ手が付いているが小さすぎる箱、又は指差込口が付いているが小さすぎる箱でも、簡単に開けることができる。さらに、一対の凸部及び凹部からなるファスナーが設けられた袋を開口するために、この粘着シートを使用することができる。即ち、ファスナーが設けられた２つの面の外側に粘着シートを各々貼り付け、取っ手部を摘んで引き離すことによって、袋を容易に開けることができる。この粘着シートによると、袋の口周縁に手を触れずに開口することが可能である。そのため、手に付いた雑菌が袋内に混入する危険性が少なく、よって、微生物を含む検体を袋に入れる場合に特に有用である。
【００２１】
粘着シートは、ラップ等の包装フィルムを破るための道具として使用され得る。通常、スーパーなどで販売される弁当等の商品は、ラップ等のフィルムで包んである。従来はこれを取り除くのに、フィルムの端を探して端から剥がしていくか、爪で引っ掛けて破る必要があった。しかし、この粘着シートをフィルム上に貼ると、取っ手部を引っ張るだけでラップを破ることができる。従って、本発明によると、包装フィルムを取り除くのが簡単になる。粘着シートをフィルムに２枚以上貼ると、粘着シートを逆方向に同時に引っ張ることができるため、より破りやすくなる。粘着シートを１枚だけ貼る場合には、分割可能なように取っ手部に切れ目を入れるのが好ましい。
【００２２】
【発明の実施の形態】
図１は、この発明の実施形態の１例を示し、本発明に係るテープから作製されるシールを示す斜視図である。
このシール１は、裏面に粘着剤が塗布された粘着シート２と、台紙３とからなる。粘着シート２は発泡ＰＥＴ製で複数個あり、これらが隣接して並べられている。各粘着シート２は、裏面同士が接着した取っ手部２ａを有し、さらに取っ手部２ａの左右両側に取っ手部２ａに対して垂直に延びた貼着部２ｂを有する。台紙３は、粘着シート２の貼着部２ｂの裏面に剥離可能に接着しており、また、左右の貼着部２ｂの各々と接着するように２枚３ａ、３ｂに分割されている。
【００２３】
上記シール１は、図２（Ａ）に示すようなテープ１１から作製される。このテープ１１は、裏面に粘着剤が塗布された長方形状の粘着シート１２と、これの裏面に剥離可能に接着した台紙３とからなる。粘着シート１２の中央には間欠的な切り込み１２ｃが設けられており、また、これが一直線に並ぶように複数（図面では７個）の粘着シート１２が隣接している。尚、複数の粘着シート１２をこのように隣接させるには、全粘着シート１２分の大きさ（図面では粘着シート１２の面積の７倍）の粘着シートを１枚用意し、これの中央に間欠的な切り込みを設けた後に切断すれば良い。一方、台紙３は、間欠的な切り込み１２ｃと平行で且つ対称な２本の切り込み３ｄによって３枚３ａ、３ｂ、３ｃに分割されている。
【００２４】
上記シール１を作製する際には、まず、中間部の台紙３ｃを粘着シート１２から剥離させる。続いて、一直線に並んだ間欠的切り込み１２ｃに沿って、各粘着シート１２を纏めて裏面側に折り曲げる。その結果、図２（Ｂ）に示すように、各粘着シート１２は中央部周辺において裏面同士が接着した状態となる。そして、各粘着シート１２の台紙３ａ、３ｂが残っている部分を表面側に折り曲げて、中央部に対して垂直にする。これにより、図１に示すシール１が完成する。
【００２５】
このシール１では、粘着シート２を台紙３から剥がすのに、剥がしたい粘着シート２の取っ手部２ａを指で摘み、これを他の粘着シート２を手で押さえながら引っ張るだけで良い。目的物に貼り付けるには、取っ手部２ａを指で摘んだまま貼着部２ｂの裏面を目的物に接着させれば良い。よって、本実施形態によると、お年寄りや指先の不器用な人でも容易に粘着シート２を剥がし、貼り付けることができる。また、剥がす際にも貼り付ける際にも、指が粘着シート２の裏面に触れることがないので、指を汚さずに済み、粘着力を低下させることもない。さらに、目的物に接着させる部分が予め設けられているので、綺麗に貼り付けることができる。しかも、本実施形態では、複数の粘着シート２が隣接して纏まっているので、粘着シート２を紛失することがない。
【００２６】
粘着シート２は、例えば、書物に見出しを付ける付箋、物を吊り下げるための道具、箱の蓋を開けるための道具、ファスナー付き袋を開けるための道具、及び包装ラップを破るための道具などとして好適に使用され得る。粘着シート２を付箋として使用する場合には、取っ手部２ａの底を目的ページの真横に当て、左右の貼着部２ｂを各々折り曲げてページに鋏むように貼り付ければ良い。この粘着シート２では綺麗に貼り付けることができるので、多数の粘着シート２を貼ったときでも見た目が良い。取っ手部２ａは、見出しを記入する欄及び目的ページを開く際の取っ手として利用される。
【００２７】
物を吊り下げるための道具として使用する場合には、取っ手部２ａにパンチで穴を空けた後、物に貼り付けて、棚などに固定されたフックに取っ手部２ａの穴を引っ掛けると良い。この粘着シート２によると見た目が綺麗になるので、スーパーやコンビニエンスストアで商品を陳列するのに適している。粘着シート２を箱の蓋を開けるための道具として使用する場合には、箱の蓋に粘着シート２を貼れば良い。すると、取っ手部２ａを摘んで引っ張るだけで蓋を持ち上げることができる。
【００２８】
ファスナー付き袋を開けるための道具として使用する場合には、図３に示すように、ファスナーＦが設けられた面の外側に粘着シート２を各々貼り付ける。袋を開ける際には、各粘着シート２の取っ手部２ａを摘んで、互いに引き離すだけで良い。この粘着シート２によると、袋の口周縁に手を触れずに開口することが可能なので、袋内に雑菌が混入するのを防ぐことができる。
【００２９】
粘着シート２を包装ラップを破るための道具として使用する場合には、図４に示すように、商品を包装しているラップの上に粘着シート２を２枚貼り付ける。ラップを破る際には、各粘着シート２の取っ手部２ａを摘んで、逆方向に同時に引っ張ると良い。これにより、ラップの端を探したり爪で引っ掛けたりすることなく、ラップを破ることができる。尚、図４の例では、粘着シート２を２枚貼っているが、１枚でも良い。粘着シート２を１枚にするときには、２枚に分割可能なように取っ手部２ａに鉛直方向の切り込みを入れると良い。
【００３０】
図５は、この発明の別の実施形態を示し、本発明に係るテープから作製されるシールを示す斜視図である。このシール２１は、粘着シート２の貼着部２ｂが取っ手部２ａの片側にのみ形成されている点及び片方の台紙３ａが無い点を除いては、図１に示すシール１と同じである。このシール２１は、図６に示すテープ２１１から作製される。このテープ２１１は、図２（Ａ）に示すテープ１１と同様に、粘着シート１２に間欠的な切り込み１２ｃが設けられ、これと平行な切り込み３ｄによって台紙３が分割されている。但し、台紙３の切り込み３ｄは１本であり、この切り込み３ｄは、間欠的な切り込み１２ｃに関して台紙３の左端３ｅと対称な位置に設けられている。このシール２１の作製手順については、上述した手順に従えば良い。
【００３１】
図１に示したシール１と同様に、このシール２１も取っ手部２ａ及び貼着部２ｂを有するので、粘着シート２を台紙から容易に剥がすことができ、また目的物に簡単且つ綺麗に貼り付けることができる。さらに、粘着シート２は、書物に見出しを付ける付箋、物を吊り下げるための道具、箱の蓋を開けるための道具、ファスナー付き袋を開けるための道具、及び包装ラップを破るための道具などとして好適に使用され得る。
【００３２】
図７は、この発明のさらに別の実施形態を示し、本発明に係るテープから作製されるシールを示す斜視図である。このシール３１は、各粘着シート２の取っ手部２ａにパンチで穴２ｄが空けられている。この点を除いては、図１に示すシール１を同じである。このシール３１では、粘着シート２に穴２ｄが設けられているので、そこにフックを通すことが可能である。また、上記シール１と同様に、粘着シート２を目的物に綺麗に貼り付けることができる。よって、スーパーやコンビニエンスストアの商品を吊り下げる道具として好適に利用される。
【００３３】
次に、図８に斜視図を示すシール４１では、粘着シート２の貼着部２ｂより下方に鋭く尖った突起２ｅが設けられている。このシール４１は、図９に示すテープ４１１から作製される。このテープ４１１では、台紙３の各切り込み３ｄに、粘着シート１２の間欠的な切り込み１２ｃから離れる方向に尖った部分がある。また粘着シート１２には、この尖った部分に沿った切り込み１２ｅが設けられている。台紙３の切り込み３ｄ及び粘着シート１２の尖った切り込み１２ｅは、間欠的な切り込み１２ｃに関して対称をなす。さらに、粘着シート１２の材質はＰＥＴである。これらの点を除くと、図２（Ａ）に示すテープ１１と同じである。シール４１の作製手順については、上記シール１と同様である。
【００３４】
図８に示したシール４１では、粘着シート２に突起２ｅがあるので、ラップで包装された商品に粘着シート２を貼ると、ラップに孔が開く。よって、このシール４１は、包装ラップを破るための道具として特に適している。また本実施形態では、突起２ｅの位置及び向きが交互に変わるように粘着シート２を隣接させている。そのため、隣り合う２個の粘着シート２の真ん中において、各々の突起２ｅが鋭角をなすように互いに接する。従って、これら２個の粘着シート２を隣接させたまま貼ることによってラップに大きな孔を開けることができ、また、これらを左右に引くことによって簡単にラップを破ることができる。
【００３５】
また、図１０に斜視図を示すシール５１は、粘着シート２に間欠的な切り込みが無い点を除けば、図１に示すシール１と同じ形状を有する。このシール５１は、図１１に示すテープ５１１から作製される。このテープ５１１では、間欠的な切り込み３ｆが、粘着シート１２の代わりに台紙３に設けられている。この点以外は、図２（Ａ）に示すテープ１１と同じである。シール５１を作製するには、まず、間欠的な切り込み３ｆに沿って粘着シート１２を台紙３とともに裏面側に折り曲げ、続いて、中間部の台紙３ｃを剥離させる。その後は、上記シール１と同様である。
【００３６】
図１２に斜視図を示すシール６１では、粘着シート２が一定の間隔を空けて隣り合っている。このことを除くと、図１０に示すシール５１と同様である。このシール６１は、図１３に示すテープ６１１から作製される。このテープ６１１は、各粘着シート１２の間に一定の間隔が空いている点以外は、図１１に示すテープ５１１と同じである。また、作製手順については、上記シール５１と同様である。このシール６１によると、１個の粘着シート２を台紙３から剥がすときに、隣の粘着シート２が一緒に剥がれてしまうのを防ぐことができる。
【００３７】
図１４に斜視図を示すシール７１では、台紙３が切り込みによって分割されておらず、さらに粘着シート２の一方の貼着部２ｂから台紙３が外側に延びている。これらの点を除くと、図１０に示すシール５１と同様である。このシール７１は、図１５に示すテープ７１１から作製される。このテープ７１１は、台紙３の切り込み３ｄが１本のみである点を除いては、図１１に示すテープ５１１と同じである。
【００３８】
シール７１の作製手順は、以下の通りである。まず、台紙３の間欠的な切り込み３ｆに沿って各粘着シート１２を纏めて台紙３とともに裏面側に折り曲げる。次に、台紙３の切り込み３ｄに沿って各粘着シート１２及び台紙３を表面側に折り曲げ、さらにこれと対称になるように反対側においても各粘着シート１２及び台紙３を表面側に折り曲げる。すると、図１６（Ａ）に示すような状態となる。そして、台紙３の間欠的な切り込み３ｆを含まない方３ｂを完全に剥がした後、もう一方３ｇを間欠的な切り込み３ｆ周縁部まで剥がす。このとき、切り込み３ｄがあるため、これら３ｂ、３ｇを剥がし易い。続いて、図１６（Ｂ）に示すように各粘着シート１２の裏面同士を接着させ、その後、台紙３ｇを再び粘着シート１２に接着させる。これにより、図１４に示すシール７１が完成する。
【００３９】
図１４に示すシール７１では、台紙３が切り込みによって分割されていない。そのため、台紙３の隙間から粘着シート２の裏面の一部が露出するのを防ぐことができる。よって、このシール７１によると、使用前に粘着力が低下してしまうことがなく、台紙３を触ってもべと付くことがない。
【００４０】
さらに、図１７に斜視図を示すシール８１は、台紙３が粘着シート２の外にまで延びていない点、及び取っ手部２ａの高さとその左右の各貼着部２ｂの長さとが同じである点を除くと、図１４に示すシール７１と同様である。このシール８１は、図１８に示すテープ８１１から作製される。このテープ８１１は、台紙３に間欠的な切り込み３ｆの代わりに切り込み３ｈが設けられており、またその切り込み３ｈと台紙３の右端との真ん中に切り込み３ｄが設けられている。これらを除けば、図１５に示すテープ７１１と同様である。
【００４１】
シール８１の作製手順については、上記シール７１について述べた手順に従う。但し、粘着シート１２及び台紙３を裏面側に折り曲げる際に中央の切り込み３ｈに沿って折り曲げ、さらに粘着シート１２から台紙３を剥がす際に左端部３ｂ及び中間部３ｉを完全に剥がす。このシール８１では、シール７１と同様に、台紙３が分割されていないので粘着シート２の裏面の露出を防ぐことができる。しかも、台紙３は全面において粘着シート２と接着しており、余計な部分を有していない。よって、このシール８１は、図１４に示したシール７１よりもコンパクトである。
【００４２】
【発明の効果】
第１ないし第４の各発明に係るシール作製用テープを使用すると、粘着シートを台紙から剥がし易くなり、綺麗に貼り付けることができ、また、手を汚すこともないし、粘着剤を汚して粘着力を低下させることもなく、多様な用途に使用され得る粘着シートを備えたシールを簡単に作製することができる。
【図面の簡単な説明】
【図１】  この発明の実施形態の１例を示し、本発明に係るテープから作製されるシールを示す斜視図である。
【図２】  （Ａ）は、図１に示したシールを作製するためのテープを示す斜視図であり、（Ｂ）は、テープからシールを作製する手順を説明するための斜視図である。
【図３】  図１に示したシールの粘着シートの使用例を示す縦断面図である。
【図４】  同じく図１に示したシールの粘着シートの使用例を示す斜視図である。
【図５】  この発明の別の実施形態を示し、本発明に係るテープから作製されるシールを示す斜視図である。
【図６】  図５に示したシールを作製するためテープを示す斜視図である。
【図７】  この発明のさらに別の実施形態を示し、本発明に係るテープから作製されるシールを示す斜視図である。
【図８】  この発明のさらに別の実施形態を示し、本発明に係るテープから作製されるシール示す斜視図である。
【図９】  図８に示したシールを作製するためテープを示す斜視図である。
【図１０】  この発明のさらに別の実施形態を示し、本発明に係るテープから作製されるシールを示す斜視図である。
【図１１】  図１０に示したシールを作製するためテープを示す斜視図である。
【図１２】  この発明のさらに別の実施形態を示し、本発明に係るテープから作製されるシールを示す斜視図である。
【図１３】  図１２に示したシールを作製するためテープを示す斜視図である。
【図１４】  この発明のさらに別の実施形態を示し、本発明に係るテープから作製されるシールを示す斜視図である。
【図１５】  図１４に示したシールを作製するためテープを示す斜視図である。
【図１６】  図１４に示したシールの作製手順を示す図である。
【図１７】  この発明のさらに別の実施形態を示し、本発明に係るテープから作製されるシールを示す斜視図である。
【図１８】  図１７に示したシールを作製するためテープを示す斜視図である。
【符号の説明】
１、２１、３１、４１、５１、６１、７１、８１  シール
１１、２１１、４１１、５１１、６１１、７１１、８１１  テープ
２、１２  粘着シート
２ａ  取っ手部
２ｂ  貼着部
１２ｃ  間欠的な切り込み
３  台紙
３ｄ  切り込み
３ｆ  間欠的な切り込み
【図１】
0004262899.tif 000002
【図２】
0004262899.tif 000003
【図３】
0004262899.tif 000004
【図４】
0004262899.tif 000005
【図５】
0004262899.tif 000006
【図６】
0004262899.tif 000007
【図７】
0004262899.tif 000008
【図８】
0004262899.tif 000009
【図９】
0004262899.tif 000010
【図１０】
0004262899.tif 000011
【図１１】
0004262899.tif 000012
【図１２】
0004262899.tif 000013
【図１３】
0004262899.tif 000014
【図１４】
0004262899.tif 000015
【図１５】
0004262899.tif 000016
【図１６】
0004262899.tif 000017
【図１７】
0004262899.tif 000018
【図１８】
0004262899.tif 000019